(57)【要約】  【課題】直冷式冷蔵庫において、サーモスタット着霜による冷蔵室温度の変動や端子部のトラッキングの発生を防止することができる。  【解決手段】製氷室４と、板状冷却器５と、板状冷却器５の前面開口周縁には、合成樹脂製の枠体１７が取付けられている。枠体１７の裏面には冷蔵室３の温度を制御するサーモスタット１６が取付けられている。サーモスタット１６は、サーモカバー１８で覆われている。これにより、板状冷却器５より堆積してきた霜はサーモカバー１８によりサーモスタットに直接覆われることがないためサーモキャピラリー１６ａ内のガス圧に影響を与えることがなく冷蔵室温度の変動や端子部のトラッキングの発生を防止することができる。【選択図】図２
2008106991.tif 000002
【特許請求の範囲】
【請求項１】
冷蔵室内の上部に板状冷却器により製氷室が形成され前記板状冷却器によって下方の冷蔵室を冷却する直冷式冷蔵庫において、前記板状冷却器と前記板状冷却器の前面開口周縁部を覆う枠体と冷蔵室内温度を調節するサーモスタットとサーモスタット外周を覆うサーモカバーとを備え、前記枠体背面にサーモスタットを取付けサーモスタット全体をサーモカバーにて覆ったことを特徴とした冷蔵庫。
【請求項２】
冷蔵室内の上部に板状冷却器により製氷室が形成され前記板状冷却器によって下方の冷蔵室を冷却する直冷式冷蔵庫において、前記板状冷却器と前記板状冷却器の前面開口周縁部を覆う枠体と冷蔵室内温度を調節するサーモスタットとを備え、前記枠体背面にサーモスタットを取付け、サーモスタット取付け部近傍の板状冷却器に切欠き部を形成し、枠体と一体に形成した仕切り板にて製氷室と板状冷却器外周を仕切ったことを特徴とした冷蔵庫。
【請求項３】
冷蔵室内の上部にコの字状に形成した板状冷却器により製氷室が形成され前記板状冷却器によって下方の冷蔵室を冷却する直冷式冷蔵庫において、前記板状冷却器と前記板状冷却器の前面開口周縁部を覆う枠体と冷蔵室内温度を調節するサーモスタットとを備え、コの字状板状冷却器の開放部の枠体背面にサーモスタットを取付け枠体と一体に形成した製氷室壁にて製氷室とサーモスタット取付け部を仕切ったことを特徴とした冷蔵庫。
【発明の詳細な説明】
【技術分野】
【０００１】
本発明は、直冷式冷蔵庫の冷蔵室内温度を調節するサーモスタットの取付け構造に関する。
【背景技術】
【０００２】
冷蔵室内の上部にロールボンド式、または、パイプオンシート式の冷却器が設置され、その下方の冷蔵室は、この冷却器で冷却された冷気の自然対流によって冷却される直冷式冷蔵庫のものがある（例えば、特許文献１参照）。
【０００３】
図９は、従来の直冷冷蔵庫の縦断面図、図１０は、従来の直冷冷蔵庫の正面図、図１１は、図１０のＡ−Ａ断面図、図１２は、従来の直冷冷蔵庫の板状冷却器の斜視図である。
【０００４】
図において、冷蔵庫１は、前面開口の本体２の前面は断熱構造の前面扉６で開閉できる構造である。前面扉６は、冷蔵庫本体２の一側部に設けたヒンジ装置によって左右方向へ開閉自在に支持され、前面扉６の裏側周縁部に配置したパッキン６Ａによって、冷蔵庫本体２と前面扉６との間が機密に保たれる。
【０００５】
冷蔵庫本体２内には、上部に板状冷却器５によって前面開口の製氷室４が形成され、冷却器５によって下方の冷蔵室３が所定の温度範囲に冷却される直冷式冷蔵庫である。板状冷却器５は、図１２に示すように表面がアルマイト処理等の防錆処理された２枚のアルミニュウム板５Ａ、５Ｂが接合されて板状をなし内部に冷媒通路５ｃが形成されている。
【０００６】
製氷室４の前面開口周縁には、合成樹脂製の枠体１０が取付けられ、この枠体１０に左右に開閉自在に扉１１が取付けられている。１５は、冷蔵庫本体２の下部に設置した冷媒を圧縮する圧縮機である。１４は、冷媒の凝縮器であり、冷蔵庫本体２の背面に取付けられている。圧縮機１５で圧縮された冷媒は、凝縮器１４にて凝縮され、減圧機能を有するキャピラリーチューブ（図示せず）で減圧されたあと、板状冷却器５で蒸発し、再び圧縮機１５へ帰還する冷凍サイクルを構成している。
【０００７】
枠体１０の裏面には冷蔵室３の温度を制御するサーモスタット１６が取付けられている。サーモスタット１６には感熱センサーの働きをする内部にガスを封入したサーモキャピラリー１６Ａが組み込まれている。サーモキャピラリー１６Ａは板状冷却器５の表面に取付けられ板状冷却器５の温度によりサーモキャピラリー１６Ａ内のガス圧の変化によりサーモスタット１６の接点を動作させ圧縮機１５の運転を制御する（サーモスタット１６内詳細構造説明省略）。そして、圧縮機１５の運転制御により冷蔵室３温度を一定に保つ制御としている。１６Ｂは接続端子、１６ｃはコンプレッサ駆動のハーネスである。
【特許文献１】特開２００５−３０００４８号公報
【発明の開示】
【発明が解決しようとする課題】
【０００８】
しかしながら、上記従来の構成では、板状冷却器の製氷室側面だけでなく裏面にも霜が形成される。板状冷却器裏面で霜が堆積するとサーモスタット方向に延びサーモスタットを覆いこんでしまう。サーモスタットが霜で覆われるとサーモキャピラリー内のガス圧に影響を与え冷蔵室温度が変動してしまう。また、端子部が霜で覆われてトラッキングを発生させる可能性も生じるという課題を有していた。
【０００９】
本発明は従来の課題を解決するもので、冷蔵室温度の変動や端子部のトラッキングを発生させない冷蔵庫を提供することを目的とする。
【課題を解決するための手段】
【００１０】
上記従来の課題を解決するために、本発明の冷蔵庫は、冷蔵室内の上部に板状冷却器により製氷室が形成され前記板状冷却器によって下方の冷蔵室を冷却する直冷式冷蔵庫において、前記板状冷却器と前記板状冷却器の前面開口周縁部を覆う枠体と冷蔵室内温度を調節するサーモスタットとサーモスタット外周を覆うサーモカバーとを備え、前記枠体背面にサーモスタットを取付けサーモスタット全体をサーモカバーにて覆ったものである。
【００１１】
これによって、サーモスタットは直接、霜に覆われることがないためサーモキャピラリー内のガス圧に影響を与えることがなく冷蔵室温度の変動や端子部のトラッキングを発生させないものである。
【００１２】
また、本発明の冷蔵庫は、冷蔵室内の上部に板状冷却器により製氷室が形成され前記板状冷却器によって下方の冷蔵室を冷却する直冷式冷蔵庫において、前記板状冷却器と前記板状冷却器の前面開口周縁部を覆う枠体と冷蔵室内温度を調節するサーモスタットとを備え、前記枠体背面にサーモスタットを取付け、サーモスタット取付け部近傍の板状冷却器に切欠き部を形成し、枠体と一体に形成した仕切り板にて製氷室と板状冷却器外周を仕切ったものである。
【００１３】
これによって、サーモスタット近傍に霜が発生しないためサーモキャピラリー内のガス圧に影響を与えることがなく冷蔵室温度の変動や端子部のトラッキングを発生させないものである。
【００１４】
また、本発明の冷蔵庫は、冷蔵室内の上部にコの字状に形成した板状冷却器により製氷室が形成され前記板状冷却器によって下方の冷蔵室を冷却する直冷式冷蔵庫において、前記板状冷却器と前記板状冷却器の前面開口周縁部を覆う枠体と冷蔵室内温度を調節するサーモスタットとを備え、コの字状板状冷却器の開放部の枠体背面にサーモスタットを取付け枠体と一体に形成した製氷室壁にて製氷室とサーモスタット取付け部を仕切ったものである。
【００１５】
これによって、サーモスタット近傍に板状冷却器がないためサーモキャピラリー内のガス圧に影響を与えることがなく冷蔵室温度の変動や端子部のトラッキングを発生させないものである。
【発明の効果】
【００１６】
本発明の冷蔵庫は、サーモスタット全体をサーモカバーにて覆うことにより、サーモスタットは直接、霜に覆われることがないためサーモキャピラリー内のガス圧に影響を与えることがなく冷蔵室温度の変動や端子部のトラッキングの発生を防止するものである。
【００１７】
また、本発明の冷蔵庫は、サーモスタット取付け部近傍の板状冷却器を切欠き枠体と一体に形成した仕切り板にて製氷室と板状冷却器外周を仕切ことにより、サーモスタット近傍に霜が発生しないためサーモキャピラリー内のガス圧に影響を与えることがなく冷蔵室温度の変動や端子部のトラッキングを発生を防止することができる。
【００１８】
また、本発明の冷蔵庫は、板状冷却器がない枠体背面にサーモスタットを取付け枠体と一体に形成した製氷室壁にて製氷室とサーモスタット取付け部を仕切ることにより、サーモスタット近傍に板状冷却器がないためサーモキャピラリー内のガス圧に影響を与えることがなく冷蔵室温度の変動や端子部のトラッキングの発生を防止することができる。
【発明を実施するための最良の形態】
【００１９】
請求項１に記載の発明は、冷蔵室内の上部に板状冷却器により製氷室が形成され前記冷却器によって下方の冷蔵室を冷却する直冷式冷蔵庫において前記板状冷却器と前記板状冷却器の前面開口周縁部を覆う枠体と冷蔵室内温度を調節するサーモスタットとサーモスタット外周を覆うサーモカバーとを備え前記枠体背面にサーモスタットを取付けサーモスタット全体をサーモカバーにて覆うことにより、板状冷却器より堆積してきた霜はサーモカバーによりサーモスタットに直接覆われることがないためサーモキャピラリー内のガス圧に影響を与えることがなく冷蔵室温度の変動や端子部のトラッキングの発生を防止することができる。
【００２０】
請求項２に記載の発明は、冷蔵室内の上部に板状冷却器により製氷室が形成され前記板状冷却器によって下方の冷蔵室を冷却する直冷式冷蔵庫において、前記板状冷却器と前記板状冷却器の前面開口周縁部を覆う枠体と冷蔵室内温度を調節するサーモスタットとを備え、前記枠体背面にサーモスタットを取付け、サーモスタット取付け部近傍の板状冷却器に切欠き部を形成し、枠体と一体に形成した仕切り板にて製氷室と板状冷却器外周を仕切ったことにより、サーモスタット近傍に霜が発生しないためサーモキャピラリー内のガス圧に影響を与えることがなく冷蔵室温度の変動や端子部のトラッキングの発生を防止することができる。
【００２１】
請求項３に記載の発明は、冷蔵室内の上部にコの字状に形成した板状冷却器により製氷室が形成され前記板状冷却器によって下方の冷蔵室を冷却する直冷式冷蔵庫において、前記板状冷却器と前記板状冷却器の前面開口周縁部を覆う枠体と冷蔵室内温度を調節するサーモスタットとを備え、コの字状板状冷却器の開放部の枠体背面にサーモスタットを取付け枠体と一体に形成した製氷室壁にて製氷室とサーモスタット取付け部を仕切ったことにより、サーモスタット近傍に板状冷却器がないためサーモキャピラリー内のガス圧に影響を与えることがなく冷蔵室温度の変動や端子部のトラッキングの発生を防止することができる。
【００２２】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００２３】
（実施の形態１）
図１は、本発明の実施の形態１における直冷冷蔵庫の正面図、図２は、図１のＢ−Ｂ断面図、図３は、本発明の実施の形態１におけるサーモカバーの斜視図である。
【００２４】
製氷室４の前面開口周縁には、合成樹脂製の枠体１７が取付けられている。枠体１７の裏面には冷蔵室３の温度を制御するサーモスタット１６が取付けられている。サーモスタット１６は、サーモカバー１８で覆われている。サーモキャピラリー１６ａとハーネス１６ｃは、サーモカバー１８の切欠き部１８ａから取り出される。サーモカバー１８は、ビス穴部１８ｂにより枠体１７にビス止め固定される。
【００２５】
以上のように構成された冷蔵庫について、以下その動作、作用を説明する。
【００２６】
板状冷却器５より堆積してきた霜はサーモカバー１８によりサーモスタットに直接覆われることがないためサーモキャピラリー１６ａ内のガス圧に影響を与えることがなく冷蔵室温度の変動や端子部（図示せず）のトラッキングの発生を防止することができる。
【００２７】
（実施の形態２）
図４は、本発明の実施の形態２における直冷冷蔵庫の正面図、図５は、図４のＣ−Ｃ断面図、図６は、本発明の実施の形態２における直冷冷蔵庫の板状冷却器の斜視図である。
【００２８】
１９は、板状冷却器であり、製氷室４が形成されている。製氷室４の前面開口周縁には、合成樹脂製の枠体２０が取付けられている。枠体２０の裏面には冷蔵室３の温度を制御するサーモスタット１６が取付けられている。板状冷却器１９のサーモスタット１６近傍は切欠き部１９ａを形成している。枠体２０には、製氷室４と製氷室４外周を仕切る仕切り板２０ａが形成されている。
【００２９】
以上のように構成された冷蔵庫について、以下その動作、作用を説明する。
【００３０】
板状冷却器１９のサーモスタット１６近傍は、切欠き部１９ａを形成しているため、霜は、サーモモスタット１６にまで発達しない。サーモスタット１６は、霜に直接覆われることがないためサーモキャピラリー１６ａ内のガス圧に影響を与えることがなく冷蔵室温度の変動や端子部１６ｂのトラッキングの発生を防止することができる。
【００３１】
（実施の形態３）
図７は、本発明の実施の形態３における直冷冷蔵庫の正面図、図８は、図７のＤ−Ｄ断面図である。
【００３２】
５は、コの字状に形成した板状冷却器であり、製氷室４が形成されている。板状冷却器５の前面開口周縁部には、合成樹脂製の枠体２１が取付けられている。板状冷却器５がないコの字状板状冷却器の開放部の枠体２１背面にサーモスタット１６を取付けている。枠体２１と一体に形成した製氷室壁２１ａにて製氷室４とサーモスタット１６取付け部を仕切っている。
【００３３】
以上のように構成された冷蔵庫について、以下その動作、作用を説明する。
【００３４】
サーモスタット２１近傍に板状冷却器５がないため、霜は、サーモモスタット１６にまで発達しない。サーモスタット１６は、霜に直接覆われることがないためサーモキャピラリー１６ａ内のガス圧に影響を与えることがなく冷蔵室温度の変動や端子部１６ｂのトラッキングの発生を防止することができる。
【産業上の利用可能性】
【００３５】
以上のように、本発明にかかる冷蔵庫は、サーモスタットは、霜に直接覆われることがないためサーモキャピラリー内のガス圧に影響を与えることがなく冷蔵室温度の変動や端子部のトラッキングの発生を防止することができる。
【図面の簡単な説明】
【００３６】
【図１】本発明の実施の形態１における直冷冷蔵庫の正面図
【図２】本発明の実施の形態１における図１のＢ−Ｂ断面図
【図３】本発明の実施の形態１におけるサーモカバーの斜視図
【図４】本発明の実施の形態２における直冷冷蔵庫の正面図
【図５】本発明の実施の形態２における図４のＣ−Ｃ断面図
【図６】本発明の実施の形態２における直冷冷蔵庫の板状冷却器の斜視図
【図７】本発明の実施の形態３における直冷冷蔵庫の正面図
【図８】本発明の実施の形態３における図７のＤ−Ｄ断面図
【図９】従来の直冷冷蔵庫の縦断面図
【図１０】従来の直冷冷蔵庫の正面図
【図１１】図１０のＡ−Ａ断面図
【図１２】従来の直冷冷蔵庫の板状冷却器の斜視図
【符号の説明】
【００３７】
３    冷蔵室
４    製氷室
５    板状冷却器
１６  サーモスタット
１７  枠体
１８  サーモカバー
１９  板状冷却器
１９ａ  切欠き部
２０  枠体
２０ａ  仕切り板
２１  枠体
２１ａ  製氷室壁
【図１】
2008106991.tif 000003
【図２】
2008106991.tif 000004
【図３】
2008106991.tif 000005
【図４】
2008106991.tif 000006
【図５】
2008106991.tif 000007
【図６】
2008106991.tif 000008
【図７】
2008106991.tif 000009
【図８】
2008106991.tif 000010
【図９】
2008106991.tif 000011
【図１０】
2008106991.tif 000012
【図１１】
2008106991.tif 000013
【図１２】
2008106991.tif 000014